(57)【要約】【課題】組立性と遮光性に優れたバックライト付きの操作装置を提供する。【解決手段】それぞれのキーの導光体部とキー間の遮光部を一体的に２色成形するとともに、各キーの隣接するキーの距離が大きい場合は、遮光部の樹脂を使ってキーの両端部を枠状につなぎ、間を抜く構成にする。【選択図】  図５（ａ）
2014065250.tif 000002
【特許請求の範囲】
【請求項１】
複数のバックライト光源とタッチスイッチの電極が実装されている基板と、
前記バックライト光源のそれぞれに対応して設けられた複数の導光体と、
前記複数の導光体を支持する不透明な枠体と、
を有し、
前記枠体と前記複数の導光体は一体的に成形されており、且つ、前記枠体は一部が抜かれた形状を有していることを特徴とする操作装置。
【請求項２】
前記基板と前記導光体との間、および前記導光体と前記パネルカバーとの間は、両面テープで接着されていることを特徴とする請求項１に記載の操作装置。
【請求項３】
請求項１又は請求項２に記載の操作装置を備えたことを特徴とするイメージング装置。
【発明の詳細な説明】
【技術分野】
【０００１】
本発明は、スキャナ、プリンタ、ファクシミリ、複写機、複合機などの画像読取部または画像記録部を有するイメージング装置に好適に使用される操作装置に関するものである。
【背景技術】
【０００２】
特許文献１には、独立的にキーが照光する静電式タッチパネルを備えたプリント装置が開示されている。図６はそのプリント装置の外観図である。
【０００３】
図７は従来のパネル部の構成図である。パネルカバー１１０１とＬＥＤなどの光を導光、照光する導光体１１０３と、ＬＥＤ１１０６ｇを実装しているパネル基板１１０５があり、接着体１１０２は、パネルカバー１１０１と導光体１１０３を接着している。パネルカバー１１０１は、アクリル、ＡＢＳなどの透光性のプラスチックの材料で、透明もしくは半透明で光が透過するようになっている。パネルカバー１１０１の接着面は鏡面仕上げでできており、接着体１１０２に対して、しっかり付くようになっている。また、導光体１１０３も同じく、光を通すため、透明のプラスチックの材料でできている。接着体１１０２は、一般的な両面テープなどでも可能であるが、間に空気が入ると、誘電率が小さくなり、静電容量の検知が難しくなるので、完全に密着することが求められる。したがって、導光体１１０３のパネルカバー１１０１との接着面は鏡面仕上げとなっている。パネルシャーシ１１０６は導光体１１０３と上側の同一面で、パネルカバー１１０１と同様に接着するように構成されている。
【０００４】
図８は、従来のパネル基板配置図である。導光体１１０３において、１１０３ｄ、１１０３ｅ、１１０３ｆは一体的に２色成形で構成されており、それぞれの間の部分は不透明な樹脂で接続され、それぞれのキーの光が漏れるのを防いでいる。また、１１０３ｄ、１１０３ｅ、１１０３ｆ以外の導光体１１０３はすべてパネルシャーシ１１０６の穴部に嵌められている。パネルシャーシ１１０６は不透明な樹脂でできており、遮光されている。
【先行技術文献】
【特許文献】
【０００５】
【特許文献１】特開２０１１−２１７０９０号公報
【発明の概要】
【発明が解決しようとする課題】
【０００６】
しかしながら、このような従来のプリント装置の操作部には、次のような課題が残されていた。
【０００７】
数多くある静電パネル部のキーをひとつひとつ組み立てる必要があり、組立工数が多い、かつ、種類があるため、煩雑になっていた。
【０００８】
キー部と周辺の遮光部を一体的に２色成形すると、部品の反りが大きくなる傾向あり、両面テープ等で固定しても隙間が生じて、感度が低下するなどの問題が発生していた。
本発明は、組立性と遮光性に優れたバックライト付きの操作装置を提供することを目的とする。
【課題を解決するための手段】
【０００９】
本発明の操作装置は、それぞれのキーの導光体部とキー間の遮光部を一体的に２色成形するとともに、各キーの隣接するキーの距離が大きい場合は、遮光部の樹脂を使ってキーの両端部を枠状につなぎ、間を抜く構成にする。
【発明の効果】
【００１０】
それぞれのキーの導光体部とキー間の遮光部を一体的に２色成形にすることにより、部品点数が少なくなり、組立の工数削減、煩雑の低減を計ることができる。また、部品自体に柔軟性があるため、両面テープで接着する面に倣いやすいので、接着後の浮きがなくなり、空気が間に入り込まないので、誘電率が小さくなり、静電容量の検知が難しくなることを防止することができる。こうして本発明によれば、組立性と遮光性に優れたバックライト付きの操作装置が提供される。
【図面の簡単な説明】
【００１１】
【図１】本発明の実施例に係るプリント装置の斜視図
【図２】本発明の実施例に係るプリント装置のパネル平面図
【図３（ａ）】本発明の実施例に係るプリント装置の導光体と基板図（その１）
【図３（ｂ）】本発明の実施例に係るプリント装置の導光体と基板図（その２）
【図４】本発明の実施例に係るプリント装置のキー部の断面図
【図５（ａ）】本発明の実施例に係るプリント装置の導光体図（その１）
【図５（ｂ）】本発明の実施例に係るプリント装置の導光体図（その２）
【図６】従来例に係るプリント装置の斜視図
【図７】従来例に係るパネル部の構成図
【図８】従来例に係るパネル基板配置図
【発明を実施するための形態】
【００１２】
図１は本発明の実施形態に係るプリント装置（イメージング装置）の斜視図であり、図２は図１の画像読取装置の操作部（操作装置）の構成を示す図である。
【００１３】
プリント装置は、パネル部１、スキャナ部２、記録部（不図示）、電気基板部（不図示）及びカードスロット部４を備えている。なお、本実施形態に係るプリント装置は、記録部を有することから、プリント装置と称することもできる。
【００１４】
図１において、パネル部１は、本体に装着されており、インクタンクの交換の際に開閉可能なように配置されている。図２は、パネル部１のキー部が点灯した時の図である。パネル部１は、タッチスイッチ式のＬＣＤユニットを設けた構成を有し、パネル部１には各種キー１３が設けられている。キー１３の説明をする。電源キー１３ａ、ホームキー１３ｂ、戻るキー１３ｃ、モノクロコピーキー１３ｄ、カラーコピーキー１３ｅ、ストップキー１３ｆが配置されている。
【００１５】
図３（ａ）、図３（ｂ）は、パネル部１の内部の基板部の図であり、図２のキーのそれぞれの直下に対応する複数の導光体５３が配置されており、また、その直下にそれぞれの静電容量式のキー（タッチスイッチ）のパターンがパネル基板５１に配置され、かつ独立的にバックライト光源（ＬＥＤ）を点灯させることができる。また、表示のみの構成が、ＷＩＦＩ表示１４ａ、ＢＬＡＣＫ表示１４ｂ、ＣＯＬＯＲ表示１４ｃ、ドット表示１４ｄ、が配置されており、それぞれ独立的に表示を点灯させることができる。静電容量式のキーは、人の指をタッチ面に接触することにより、静電容量の変化を検知し、キーを入力せしめるものである。ＬＣＤユニット１２には、不図示のＬＣＤモジュールと電気基板が内蔵されており、その表面には透明部材のＬＣＤ窓１２ａが設けられている。また、ＬＣＤユニット（不図示）は静電タッチ式で操作できるようにＬＣＤ窓部１２に透明な電極シート（不図示）が貼りつけてある。
【００１６】
図３の詳細について説明する。図３（ａ）は、遮光シートがない状態の図で、図３（ｂ）は遮光シートがある状態の図である。また、図４は、パネル部１の断面図であり、構成を示している。
【００１７】
遮光シートＬ５５と、遮光シートＲ５６は、ＬＥＤ  ＧＵＩＤＥ  Ｌ  ５３とＬＥＤ  ＧＵＩＤＥ  Ｒ  ５４をそれぞれ点灯させた時にＬＥＤの光が隣に漏れるのを防止しており、両面テープで固定されている。
【００１８】
図３（ａ）、図３（ｂ）においてパネル基板５１にはバックライト光源であるＬＥＤ５２が実装してあり、ＬＥＤ  ＧＵＩＤＥ  Ｌ  ５３とＬＥＤ  ＧＵＩＤＥ  Ｒ  ５４が両面テープ５７で接着されている。図５（ａ）はＬＥＤ  ＧＵＩＤＥ  Ｌ  ５３で、図５（ｂ）がＬＥＤ  ＧＵＩＤＥ  Ｒ  ５４の単品図である。ＬＥＤ  ＧＵＩＤＥ  Ｌ  ５３は、透明部５３ａと、不透明部５３ｂ（枠体）の２色で成形されている部品である。また、ＬＥＤ５２の実装部分には穴があいており、パネル基板５１に密着して貼りつけられるように構成されている。また、ＬＥＤ  ＧＵＩＤＥ  Ｒ  ５４もＬＥＤ  ＧＵＩＤＥ  Ｌ  ５３の構成でパネル基板５１に密着して貼りつけられるように構成されている。図３（ｂ）は、これらの構成に対して、パネルカバー２１に対して光漏れを防止するために、遮光シートＬ５５と  遮光シートＲ５６を貼付したものを示している。
【００１９】
図４において、パネルカバー２１は透明の樹脂で成形されている。成形時のインモールド成形で、表面部に印刷さており、透明樹脂部２１ａと、印刷部２１ｂで構成されている。パネルカバー２１と、導光体５３は両面テープ５８で接着されており、間に空気が入らないようになっている。また同様に導光体５３とパネル基板５１も両面テープ５７で接着されており、間に空気が入らないようになっている。パネル基板５１には、静電容量を感知する電極部５１ａのパターンがあり、指６０がパネルカバー２１に接触すると反応するように構成されている。
【００２０】
この構成に於いて、ＬＥＤ５２から出た光Ａは、導光体透明部５３ａに入光する。入光した光は導光体透明部５３ａの下部の白色印刷部５３ｃで拡散され、矢印Ｂの方へ拡散される。その後、パネルカバー２１の抜き印刷部２１ｃから外部に矢印Ｃの方向へ出光される。これにより、ユーザーがキーが光ることを認識することができる。
【００２１】
次に、導光体５３の構成に関して説明する。図５（ａ）に於いて、電源キー導光体５３ａ１と、ホームキー導光体５３ａ２および戻るキー導光体５３ａ３は６０ｍｍ程度離れている。電源キー導光体５３ａ１からホームキー導光体５３ａ２に対しては、比較的細い枠形状の導光体不透明部５３ｂ１と導光体不透明部５３ｂ２でつないでいる。戻るキー導光体５３ａ３に対しては、比較的細い枠形状の導光体不透明部５３ｂ３と導光体不透明部５３ｂ４でつないでいる。また、枠体以外は一部の肉が抜かれている。つまり、複数の導光体とこられを支持する不透明な枠体は一体的に成形されており、且つ、枠体は一部が抜かれた枠形状を有している。
【００２２】
これにより、導光体５３が成形時に反りが発生しても枠体により柔軟性があるため、パネルカバー２１およびパネル基板５１にならうことができ、キー部の接着の密着性を確保することができる。
【００２３】
図５（ｂ）に於いて、カラーコピーキー導光体５４ａ２と、ストップキー導光体５４ａ３は３０ｍｍ程度離れている。カラーコピーキー導光体５４ａ２からストップキー導光体５４ａ３に対しては、比較的細い枠形状の導光体不透明部５４ｂ１と導光体不透明部５４ｂ２でつないでいる。また、枠体は一部の肉を抜かれている。
【００２４】
これにより、導光体５４が成形時に反りが発生しても枠体により柔軟性があるため、パネルカバー２１およびパネル基板５１にならうことができ、キー部の接着の密着性を確保することができる。
【００２５】
モノクロコピーキー導光体５４ａ１とカラーコピーキー導光体５４ａ２は、同様に３０ｍｍ程度離れている。モノクロコピーキー導光体５４ａ１からカラーコピーキー導光体５４ａ２に対しては、比較的細い枠形状の導光体不透明部５４ｂ３と導光体不透明部５４ｂ４でつないでいる。これにより、導光体５４が成形時に反りが発生しても枠体により柔軟性があるため、パネルカバー２１およびパネル基板５１にならうことができ、キー部の接着の密着性を確保することができる。
【００２６】
以上の操作装置は、スキャナ、プリンタ、ファクシミリ、複写機、複合機などの画像読取部または画像記録部を有するイメージング装置の操作部に利用することができる。
【符号の説明】
【００２７】
２１・・・パネルカバー
５１・・・パネル基板
５２・・・ＬＥＤ
５３・・・ＬＥＤ  ＧＵＩＤＥ  Ｌ
５４・・・ＬＥＤ  ＧＵＩＤＥ  Ｒ
５５・・・遮光シートＬ
５６・・・遮光シートＲ
５７・・・両面テープ
５８・・・両面テープ
【図１】
2014065250.tif 000003
【図２】
2014065250.tif 000004
【図３（ａ）】
2014065250.tif 000005
【図３（ｂ）】
2014065250.tif 000006
【図４】
2014065250.tif 000007
【図５（ａ）】
2014065250.tif 000008
【図５（ｂ）】
2014065250.tif 000009
【図６】
2014065250.tif 000010
【図７】
2014065250.tif 000011
【図８】
2014065250.tif 000012